【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
供給原油から石油化学製品及び燃料製品を製造する統合プロセスであって、
常圧蒸留ユニット（ＡＤＵ）において、前記供給原油から、少なくとも
直留ナフサを含む第一ＡＤＵ留分、
前記供給原油から出る中質留分の少なくとも一部を含む第二ＡＤＵ留分、及び
常圧残油を含む第三ＡＤＵ留分
を分離すること、
減圧蒸留ユニット（ＶＤＵ）において、前記第三ＡＤＵ留分から、少なくとも
減圧軽油を含む第一ＶＤＵ留分
を分離すること、
留分水素化処理（ＤＨＰ）域において、前記第二ＡＤＵ留分から出る中質留分を水素化処理すること、ならびに少なくとも、第一ＤＨＰ留分及び第二ＤＨＰ留分を回収することであって、前記第一ＤＨＰ留分は、ナフサを含み、及び前記第二ＤＨＰ留分は、ディーゼル燃料製造に使用される、前記水素化処理すること、ならびに前記回収すること、
軽油水素化処理（ＧＯＨＰ）域において、前記第一ＶＤＵ留分から出る減圧軽油を水素化処理すること、ならびにＬＰＧ、ナフサ、及び中質留分範囲の成分を含む常圧残油終点以下で沸騰する成分を含有する第一ＧＯＨＰ留分、及び重質油を含有する第二ＧＯＨＰ留分を回収することであって、前記重質油は、減圧軽油範囲の水素化精製軽油または未転化油である、前記水素化処理すること、ならびに前記回収すること、
混合原料水蒸気分解（ＭＦＳＣ）域において、前記第一ＡＤＵ留分から出るナフサ及び芳香族化合物抽出域に由来する抽残液を、水蒸気分解することであって、前記ＭＦＳＣ域における水蒸気分解は、Ｈ２、メタン、エタン、エチレン、混合Ｃ３、及び混合Ｃ４を含む混合生成物流、熱分解ガス、及び熱分解油を回収するのに有効な条件で作動する、前記水蒸気分解することと、
前記混合生成物流から、Ｈ２、メタン、非オレフィンＣ２−Ｃ４、ならびに石油化学製品であるエチレン、プロピレン、及びブチレンを回収すること、
ナフサ水素化処理域において、水蒸気分解から出た熱分解ガスを水素化処理すること、及び水素化精製された熱分解ガスを回収すること、
芳香族化合物抽出域において、石油化学芳香族化合物製品回収のため、水素化精製熱分解ガスから芳香族化合物を、及び芳香族化合物抽出域抽残液を、分離することであって、芳香族化合物抽出に由来する前記抽残液は、前記芳香族化合物抽出域抽残液の全部または一部である、前記分離すること、
基油製造センターにおいて、前記ＧＯＨＰ域から出る前記減圧軽油範囲の重質油を処理することであって、前記処理には、接触脱ろう及び水素化仕上げ操作が含まれる、前記処理すること、ならびに基油生成物を回収すること、
を含む、前記統合プロセス。
【請求項２】
基油製造のために前記処理することは、重質油を接触脱ろう域に送り、転化させて、イソパラフィン基油を生成すること、及び前記イソパラフィン基油を水素化仕上げ域に送り、前記接触脱ろう域で形成されたものを含むオレフィンを飽和させること及び仕上げ用流出油を生成すること、ならびに前記基油生成物及びＬＰＧ、ナフサ、及び中質留分範囲の成分を含む常圧残油終点以下で沸騰する生成物を回収すること、
を含む、請求項１に記載のプロセス。
【請求項３】
前記基油製造センターから出る前記ナフサの少なくとも主要部分は、前記ＭＦＳＣ域または前記ＡＤＵ域に送られる、請求項１または２に記載のプロセス。
【請求項４】
前記ＶＤＵ域において、減圧残油を含む第二ＶＤＵ留分を分離すること、減圧残油水素化分解（ＶＲＨＣＫ）域において、前記減圧残油の少なくとも一部を水素化分解すること、ＬＰＧ、ナフサ、及び中質留分範囲の成分を含む常圧残油終点以下で沸騰するＶＲＨＣＫ生成物を回収すること、ならびにＶＲＨＣＫ未転化油を回収すること、及び
ＶＲＨＣＫ未転化油を前記ＧＯＨＰに送るか、または
ＶＲＨＣＫ未転化油を前記基油製造センターに送ること、
をさらに含む、請求項１から３のいずれか１項に記載のプロセス。
【請求項５】
前記ＶＲＨＣＫ域において、熱分解油を処理することをさらに含む、請求項４に記載のプロセス。
【請求項６】
前記ＧＯＨＰから出る前記重質油の少なくとも一部は、少なくとも、Ｈ２、メタン、エタン、エチレン、混合Ｃ３、及び混合Ｃ４を含む混合生成物流、芳香族化合物抽出に供するさらなる熱分解ガス、ならびに、さらなる熱分解油を生成するのに有効な条件下で作動する軽油水蒸気分解（ＧＯＳＣ）域に送られる、請求項１から５のいずれか１項に記載のプロセス。
【請求項７】
前記混合生成物流から回収される非オレフィンＣ４は、さらなるの石油化学製品の製造のために前記混合原料流分解域に循環使用されるか、またはさらなる石油化学製品の製造のために別個の処理域に循環使用され、前記別個の処理域は、前記非オレフィンＣ４中のブテンを混合ブタノールに転化するか、または石油化学プロピレンと前記ＭＦＳＣ域に循環使用されるＣ４／Ｃ５抽残液流を生成するメタセシス反応域である、請求項１から６のいずれか１項に記載のプロセス。
【請求項８】
石油化学製品及び燃料製品を製造する統合システムであって、
供給原料（１０２）を受け取って分離し、ナフサを含む第一ＡＤＵ留分（１３６）、供給原料からの中質留分の少なくとも一部を含む第二ＡＤＵ留分（１２２）、及び常圧残油を含む第三ＡＤＵ留分（１１４）を排出するように作動可能な常圧蒸留ユニット（ＡＤＵ）（１１０）；
前記第三ＡＤＵ留分（１１４）を受け取って分離し、減圧軽油留分を含む第一ＶＤＵ留分（１６２）を排出するように作動可能な減圧蒸留ユニット（ＶＤＵ）（１６０）;
前記第二ＡＤＵ留分（１２２）からの中質留分を受け取って、第一ＤＨＰ留分（１８４）及び第二ＤＨＰ留分（１８２）に転化するように作動可能な留分水素化処理（ＤＨＰ）域（１８０）であって、前記第一ＤＨＰ留分はナフサを含み、前記第二ＤＨＰ留分はディーゼル燃料製造に使用され；
前記第一ＶＤＵ留分（１６２）から減圧軽油留分を受け取って処理し、ナフサ範囲成分を含有する第一ＧＯＨＰ留分（３０６/３２６）と、減圧軽油範囲の水素化精製軽油または未転化油である重質油を含有する第二ＧＯＨＰ留分（３０４/３２４）とを生成するように作動可能な軽油水素化処理（ＧＯＨＰ）域（３００/３２０）；
前記第一ＡＤＵ留分（１３６）からナフサを受け取って、熱分解するように作動可能な混合原料水蒸気分解（ＭＦＳＣ）域（２３０）と、芳香族化合物抽出域（６２０）から得られるＣ６−Ｃ９非芳香族抽残液流（６４６）とを含む水蒸気分解域であって、水蒸気分解域は、混合Ｃ１−Ｃ４パラフィン及びオレフィンを含有する混合生成物流（２３２）、原熱分解ガソリン流（２３４）、及び熱分解油流（２３６）を生成するように作動可能である水蒸気分解域；
前記原熱分解ガソリン流（２３４）を受け取って処理し、水素化精製熱分解ガス流（６０４）を生成するように作動可能なナフサ水素化処理域（６００）;
前記水素化精製熱分解ガス流（６０４）を受け取って、１つまたは複数の芳香族生成物流（６２４，６２６）及び前記Ｃ６−Ｃ９非芳香族抽残液流（６４６）に分離するように作動可能な芳香族化合物抽出域（６２０）；及び
前記重質油を含有する第二ＧＯＨＰ留分（３０４/３２４）を受け取って、基油生成物（４５６）に転化するように作動可能な基油製造センター（４５０）、
を含む、前記統合システム。
【請求項９】
前記基油製造センター（４５０）は、重油を受け取って、イソパラフィン基油（４７２）に転化するように作動可能な接触脱ろう域（４７０）と、前記イソパラフィン基油（４７２）を受け取って、仕上げ用流出油（４７６）を製造するように作動可能な基油水素化仕上げ域（４７４）とを含む、請求項８に記載のシステム。
【請求項１０】
前記基油製造センター（４５０）は、ナフサを製造するように作動可能であり、前記ＭＦＳＣ域または前記ＡＤＵ域が前記基油製造センター（４５０）で製造されたナフサを受け取るように作動可能である、請求項８または９に記載のシステム。
【請求項１１】
前記ＶＤＵ（１６０）は、減圧残油を含む第二ＶＤＵ留分（１６８）を分離するようにさらに作動可能であり、
前記システムは、減圧残油を含む前記第二ＶＤＵ留分（１６８）を受け取って処理し、前記水素化分解軽油留分（８０６）及び中質留物流（８１２）を製造するように作動可能な減圧残油水素化分解（ＶＲＨＣＫ）域（８００）をさらに含み、
前記ＧＯＨＰ域は、前記ＶＲＨＣＫ域（８００）から前記水素化分解軽油留分（８０６）を受け取って処理するように作動可能であるか、または
前記基油生成センター（４５０）は、前記ＶＲＨＣＫ域（８００）から前記水素化分解軽油留分（８０６）を受け取るように作動可能である、請求項８から１０のいずれか１項に記載のシステム。
【請求項１２】
前記水蒸気分解域は、前記ＧＯＨＰから重質油を受け入れて熱分解するように作動可能な軽油水蒸気分解（ＧＯＳＣ）域（２５０）をさらに含む、請求項８から１１のいずれか１項に記載のシステム。
【請求項１３】
前記ナフサ水素化処理域（６００）がＣ５Ｓ流(６０６)を製造するように作動可能であり、前記ＭＦＳＣ域（２３０）は、前記Ｃ５Ｓ流（６０６）を受け取って、熱分解するように作動可能である、請求項８から１２のいずれか１項に記載のシステム。
【請求項１４】
前記ＡＤＵ（１１０）は、第一ＤＨＰ留分（１８４）からのナフサ、前記第一ＧＯＨＰ留分（３０６／３２６）からのナフサ、または前記第一ＤＨＰ留分（１８４）からのナフサと前記ＧＯＨＰ留分（３０６／３２６）からのナフサの両方を受け取って、分離するようにさらに作動可能である；または、
前記ＭＦＳＣ域（２３０）は、第１のＤＨＰ画分（１８４）からのナフサ、第１のＧＯＨＰ画分（３０６／３２６）からのナフサ、または第１のＤＨＰ画分（１８４）からのナフサとＧＯＨＰ画分（３０６／３２６）からのナフサの両方を受け取って、熱分解するようにさらに作動可能である、請求項８から１３のいずれか１項に記載のシステム。
【請求項１５】
前記混合生成物流（２３２，２５２）を受け取って燃料ガス流（２０８）、エチレン流（２０２）、混合Ｃ３流（２８６）、及び混合Ｃ４流（２０６）に分離するよう作動可能なオレフィン回収トレイン（２７０）と、前記混合生成物流（２３２，２５２）から回収されたＣ４の一部を受け取って、オレフィン流（５２２）及び非オレフィン流（５２４）に分離するよう作動可能なＣ４蒸留ユニット（５２０）と、をさらに含む請求項８から１４のいずれか１項に記載のシステム。
【請求項１６】
前記ＭＦＳＣ域（２３０）は、前記非オレフィン流（５２４）を受け取って、熱分解するように作動可能であり;
前記Ｃ４蒸留ユニット（５２０）からブテン混合物を受け取って、混合ブタノール生成物流（５５４）に転化するように作動可能な混合ブタノール生成域（５５０）；
または
前記Ｃ５流（６０６）の全部または一部を受け取って、プロピレン流（５３４）及びＣ４／Ｃ５抽残液流（５３８）に転化するように作動可能なメタセシス反応域（５３０）であって、前記Ｃ４／Ｃ５抽残液流（５３８）を受け取って、熱分解するように作動可能である前記ＭＦＳＣ域をさらに含む、請求項１５に記載のシステム。
【手続補正２】
【補正対象書類名】明細書
【補正対象項目名】００９２
【補正方法】変更
【補正の内容】
【００９２】
芳香族化合物抽出域６２０は、例えば、１つまたは複数の抽出蒸留ユニットを備え、水素化精製熱分解ガソリン及び流動接触分解ナフサを分離して、高純度ベンゼン、トルエン、キシレン、及びＣ９芳香族化合物を含有する芳香族流６２２にするように作動する。芳香族流６２２は、化学製品市場用に回収される。Ｃ５抽残液６０６及び非芳香族化合物６４６（例えば、Ｃ６−Ｃ９）は、混合原料水蒸気分解域２３０に循環使用される。ある特定の実施形態において、Ｃ５抽残液６０６及び非芳香族化合物６４６の全部、実質的部分、または相当部分は、混合原料水蒸気分解域２３０に送られる。重質芳香族化合物流６４２（例えば、Ｃ１０−Ｃ１２）は、芳香族溶媒、オクタン上昇剤、または燃料油プールに加えるカッター原液として使用することが可能である。ある特定の実施形態においてエチルベンゼン６２８は、回収することが可能である。
【手続補正３】
【補正対象書類名】図面
【補正対象項目名】図１１
【補正方法】変更
【補正の内容】
【図１１】
2020500965.tif 000001